(57)【要約】【課題】本発明はビスケット浸しコップを開示した。【解決手段】本体を含み、前記本体の右側端面には取っ手が固定的に取り付けられ、前記本体の中には上方に開口した牛乳チャンバが設置され、前記牛乳チャンバの中には牛乳が置かれ、前記本体の頂部端面には回転チャンバが設置され、本発明はビスケット全体を牛乳の中に入れることができ、置き機構内の押しブロックにより、ビスケットをコップから送り出すことができ、手に接触することがなく、支持機構はコップを使われないときに置き機構を支持し、それにより置き機構が壊れにくく、普及する価値がある。【選択図】図１
2020179076.tif 000002
【特許請求の範囲】
【請求項１】
本体を含み、前記本体の右側端面には取っ手が固定的に取り付けられ、前記本体の中には上方に開口した牛乳チャンバが設置され、前記牛乳チャンバの中には牛乳が置かれ、前記本体の頂部端面には回転チャンバが設置され、前記回転チャンバの前後内壁の間には回転ロッドが回転できるように係合し取り付けられ、前記回転ロッドには固定ブロックが固定的に取り付けられ、前記固定ブロックの頂部端面には蓋が固定的に取り付けられ、前記蓋の頂部端面には凸ブロックが固定的に取り付けられ、前記蓋の底部端面には下方に開口した押圧ロッドチャンバが設置され、前記押圧ロッドチャンバの前後内壁の間には補助ロッドが回転できるように係合し取り付けられ、前記補助ロッドにはビスケットを前記牛乳の中にプッシュできる押圧ロッドが固定的に取り付けられ、前記押圧ロッドの左側端面には左方に開口した位置制限チャンバが設置され、前記押圧ロッドチャンバの左側にはばねチャンバが設置され、前記ばねチャンバの中にはプッシュブロックがスライドできるように係合し取り付けられ、前記プッシュブロックの左側端面と前記ばねチャンバの左側内壁との間には第一ばねが固定的に取り付けられ、前記プッシュブロックの右側端面には前記押圧ロッドチャンバの左側内壁を貫通しているプッシュロッドが固定的に取り付けられ、前記プッシュロッドと前記蓋とがスライドできるように係合し取り付けられ、前記プッシュロッドが前記位置制限チャンバの中に固定されることができ、ビスケットを前記牛乳の中に入れるとき、前記蓋を開け、そして手動で前記プッシュブロックをプッシュし、前記プッシュロッドと前記位置制限チャンバとを固定状態から離脱させ、そして前記押圧ロッドによりビスケットを前記牛乳の中にプッシュし、前記牛乳チャンバの中にはビスケットを置ける置き機構が設置され、前記置き機構の右側には、コップを使わないとき、前記置き機構に支持力を提供する伝動機構が設置されることを特徴とするビスケット浸しコップ。
【請求項２】
前記置き機構は前記牛乳チャンバの左側内壁に連通し設置される押しチャンバを含み、前記押しチャンバの前後内壁の間には押しロッドが回転できるように係合し取り付けられ、前記押しロッドの左側端面には押しブロックが固定的に取り付けられ、前記押しロッドの右側端面には連結板が固定的に取り付けられ、前記連結板の右側端面には右方に開口した連結溝が設置され、前記連結溝の前後内壁の間には連結ロッドが回転できるように係合し取り付けられ、前記連結溝の前側にはトーションばねチャンバが設置され、前記連結ロッドが前記トーションばねチャンバの後側内壁を貫通しており、前記連結ロッドの前側端面にはトーションばねが固定的に取り付けられ、前記トーションばねの前側端面と前記トーションばねチャンバの前側内壁とが固定的に連結され、前記連結ロッドには置き板が固定的に取り付けられ、前記置き板の頂部端面には挿入溝が設置され、前記押圧ロッドが前記挿入溝の中に固定されることができ、前記置き板の右側端面には右方に開口したビスケットを置ける置きチャンバが設置され、前記置きチャンバの前後内壁には挟みブロックが固定的に取り付けられ、それによりビスケットを置くとき、ビスケットを置きチャンバの中に置き、挟みブロックによりビスケットを挟み、ビスケットを浸すとき、押圧ロッドを挿入溝の中に固定させ、そして蓋を閉め、押圧ロッドにより置き板を回転連動させ、ビスケットを牛乳の中にプッシュし、ビスケットを食べるとき、再び蓋を開け、置き板がトーションばねにより復帰し、そして押しブロックを押し、押しブロックが押しロッドにより連結板を回転連動させ、ビスケットをコップの中から送り出すことを特徴とする請求項１に記載のビスケット浸しコップ。
【請求項３】
前記伝動機構は前記牛乳チャンバの右側内壁に連通し設置されるネジ山チャンバを含み、前記ネジ山チャンバの中にはネジ山ブロックがスライドできるように係合し取り付けられ、前記ネジ山ブロックの中には右方に開口したネジ山穴が設置され、前記ネジ山チャンバの右側には噛合チャンバが連通し設置され、前記噛合チャンバと前記ネジ山チャンバとの間にはねじボルトが回転できるように係合し取り付けられ、前記ねじボルトと前記ネジ山穴とがネジ山により係合し取り付けられ、前記ねじボルトの右側端面には第二傘歯車が固定的に取り付けられ、前記噛合チャンバの前側には伝動チャンバが設置され、前記伝動チャンバと前記噛合チャンバとの間には伝動ロッドが回転できるように係合し取り付けられ、前記伝動ロッドの後側端面には第一傘歯車が固定的に取り付けられ、前記第一傘歯車と前記第二傘歯車とが噛合しており、前記伝動ロッドの前側端面には第一歯車が固定的に取り付けられ、前記回転ロッドが前に伸びて前記伝動チャンバの後側内壁を貫通し、前記回転ロッドの前側端面には第二歯車が固定的に取り付けられ、前記第二歯車と前記第一歯車との間にはチェーンが伝動できるように係合し取り付けられ、前記ネジ山ブロックの左側端面には支持板が前後に対称的に固定的に取り付けられ、前記支持板の中にはばねチャンバが設置され、前記ばねチャンバの中には引掛りブロックがスライドできるように係合し取り付けられ、前記引掛りブロックと前記ばねチャンバとの間には第二ばねが固定的に取り付けられ、前記置き板には引掛り溝が前後に対称的に設置され、前記引掛りブロックが前記引掛り溝の中に固定されることができ、それにより蓋を開けるとき、蓋が回転ロッドを回転連動させ、回転ロッドが回転し第二歯車を回転連動させ、第二歯車がチェーンの伝動により第一歯車を回転連動させ、第一歯車が回転し伝動ロッドを回転連動させ、伝動ロッドが回転し第一傘歯車を回転連動させ、第一傘歯車が第二傘歯車との噛合によりねじボルトを回転連動させ、ねじボルトが回転しネジ山ブロックを右に移動させ、引掛りブロックと引掛り溝とが固定状態から離脱し、蓋を閉めるとき、蓋が支持板を左に移動連動させ、置き板が支持板に支持されることを特徴とする請求項１に記載のビスケット浸しコップ。
【発明の詳細な説明】
【技術分野】
【０００１】
本発明はコップ分野を取り上げて、具体的にはビスケット浸しコップである。
【背景技術】
【０００２】
人々は朝食にビスケットを食べるとき、ビスケットを牛乳に浸すことが好きであるが、手でビスケットを入れるのが衛生ではなく面倒であり、また一般的なコップでビスケットを浸すときはビスケット全体を牛乳に浸すことができない。
【先行技術文献】
【特許文献】
【０００３】
【特許文献１】中国特許出願公開第１０９１７１３８７号明細書
【発明の概要】
【発明が解決しようとする課題】
【０００４】
本発明の目的はビスケット浸しコップを提供し、それは上記の現在の技術中の問題を解決できる。
【課題を解決するための手段】
【０００５】
本発明のビスケット浸しコップは、本体を含み、前記本体の右側端面には取っ手が固定的に取り付けられ、前記本体の中には上方に開口した牛乳チャンバが設置され、前記牛乳チャンバの中には牛乳が置かれ、前記本体の頂部端面には回転チャンバが設置され、前記回転チャンバの前後内壁の間には回転ロッドが回転できるように係合し取り付けられ、前記回転ロッドには固定ブロックが固定的に取り付けられ、前記固定ブロックの頂部端面には蓋が固定的に取り付けられ、前記蓋の頂部端面には凸ブロックが固定的に取り付けられ、前記蓋の底部端面には下方に開口した押圧ロッドチャンバが設置され、前記押圧ロッドチャンバの前後内壁の間には補助ロッドが回転できるように係合し取り付けられ、前記補助ロッドにはビスケットを前記牛乳の中にプッシュできる押圧ロッドが固定的に取り付けられ、前記押圧ロッドの左側端面には左方に開口した位置制限チャンバが設置され、前記押圧ロッドチャンバの左側にはばねチャンバが設置され、前記ばねチャンバの中にはプッシュブロックがスライドできるように係合し取り付けられ、前記プッシュブロックの左側端面と前記ばねチャンバの左側内壁との間には第一ばねが固定的に取り付けられ、前記プッシュブロックの右側端面には前記押圧ロッドチャンバの左側内壁を貫通しているプッシュロッドが固定的に取り付けられ、前記プッシュロッドと前記蓋とがスライドできるように係合し取り付けられ、前記プッシュロッドが前記位置制限チャンバの中に固定されることができ、ビスケットを前記牛乳の中に入れるとき、前記蓋を開け、そして手動で前記プッシュブロックをプッシュし、前記プッシュロッドと前記位置制限チャンバとを固定状態から離脱させ、そして前記押圧ロッドによりビスケットを前記牛乳の中にプッシュし、前記牛乳チャンバの中にはビスケットを置ける置き機構が設置され、前記置き機構の右側には、コップを使わないとき、前記置き機構に支持力を提供する伝動機構が設置される。
【０００６】
さらなる技術プラン、前記置き機構は前記牛乳チャンバの左側内壁に連通し設置される押しチャンバを含み、前記押しチャンバの前後内壁の間には押しロッドが回転できるように係合し取り付けられ、前記押しロッドの左側端面には押しブロックが固定的に取り付けられ、前記押しロッドの右側端面には連結板が固定的に取り付けられ、前記連結板の右側端面には右方に開口した連結溝が設置され、前記連結溝の前後内壁の間には連結ロッドが回転できるように係合し取り付けられ、前記連結溝の前側にはトーションばねチャンバが設置され、前記連結ロッドが前記トーションばねチャンバの後側内壁を貫通しており、前記連結ロッドの前側端面にはトーションばねが固定的に取り付けられ、前記トーションばねの前側端面と前記トーションばねチャンバの前側内壁とが固定的に連結され、前記連結ロッドには置き板が固定的に取り付けられ、前記置き板の頂部端面には挿入溝が設置され、前記押圧ロッドが前記挿入溝の中に固定されることができ、前記置き板の右側端面には右方に開口したビスケットを置ける置きチャンバが設置され、前記置きチャンバの前後内壁には挟みブロックが固定的に取り付けられる。
【０００７】
さらなる技術プラン、前記伝動機構は前記牛乳チャンバの右側内壁に連通し設置されるネジ山チャンバを含み、前記ネジ山チャンバの中にはネジ山ブロックがスライドできるように係合し取り付けられ、前記ネジ山ブロックの中には右方に開口したネジ山穴が設置され、前記ネジ山チャンバの右側には噛合チャンバが連通し設置され、前記噛合チャンバと前記ネジ山チャンバとの間にはねじボルトが回転できるように係合し取り付けられ、前記ねじボルトと前記ネジ山穴とがネジ山により係合し取り付けられ、前記ねじボルトの右側端面には第二傘歯車が固定的に取り付けられ、前記噛合チャンバの前側には伝動チャンバが設置され、前記伝動チャンバと前記噛合チャンバとの間には伝動ロッドが回転できるように係合し取り付けられ、前記伝動ロッドの後側端面には第一傘歯車が固定的に取り付けられ、前記第一傘歯車と前記第二傘歯車とが噛合しており、前記伝動ロッドの前側端面には第一歯車が固定的に取り付けられ、前記回転ロッドが前に伸びて前記伝動チャンバの後側内壁を貫通し、前記回転ロッドの前側端面には第二歯車が固定的に取り付けられ、前記第二歯車と前記第一歯車との間にはチェーンが伝動できるように係合し取り付けられ、前記ネジ山ブロックの左側端面には支持板が前後に対称的に固定的に取り付けられ、前記支持板の中にはばねチャンバが設置され、前記ばねチャンバの中には引掛りブロックがスライドできるように係合し取り付けられ、前記引掛りブロックと前記ばねチャンバとの間には第二ばねが固定的に取り付けられ、前記置き板には引掛り溝が前後に対称的に設置され、前記引掛りブロックが前記引掛り溝の中に固定されることができる。
【発明の効果】
【０００８】
本発明の有益的な効果は：本発明はビスケット全体を牛乳の中に入れることができ、置き機構内の押しブロックにより、ビスケットをコップから送り出すことができ、手に接触することがなく、支持機構はコップを使われないときに置き機構を支持し、それにより置き機構が壊れにくく、普及する価値がある。
【図面の簡単な説明】
【０００９】
【図１】図１は本発明の構造概略図
【図２】図２は図１のＡの拡大概略図
【図３】図３は図１のＢの拡大概略図
【図４】図４は図１のＣ−Ｃ方向の断面構造概略図
【図５】図５は図１のＤ−Ｄ方向の断面構造概略図
【図６】図６は図３のＥ−Ｅ方向の断面構造概略図
【発明を実施するための形態】
【００１０】
下記に図１−６をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−６を参照し、本発明のビスケット浸しコップは、本体１３を含み、前記本体１３の右側端面には取っ手２８が固定的に取り付けられ、前記本体１３の中には上方に開口した牛乳チャンバ１２が設置され、前記牛乳チャンバ１２の中には牛乳２２が置かれ、前記本体１３の頂部端面には回転チャンバ２９が設置され、前記回転チャンバ２９の前後内壁の間には回転ロッド３０が回転できるように係合し取り付けられ、前記回転ロッド３０には固定ブロック３１が固定的に取り付けられ、前記固定ブロック３１の頂部端面には蓋１１が固定的に取り付けられ、前記蓋１１の頂部端面には凸ブロック３４が固定的に取り付けられ、前記蓋１１の底部端面には下方に開口した押圧ロッドチャンバ３３が設置され、前記押圧ロッドチャンバ３３の前後内壁の間には補助ロッド３２が回転できるように係合し取り付けられ、前記補助ロッド３２にはビスケットを前記牛乳２２の中にプッシュできる押圧ロッド３５が固定的に取り付けられ、前記押圧ロッド３５の左側端面には左方に開口した位置制限チャンバ４１が設置され、前記押圧ロッドチャンバ３３の左側にはばねチャンバ３６が設置され、前記ばねチャンバ３６の中にはプッシュブロック３８がスライドできるように係合し取り付けられ、前記プッシュブロック３８の左側端面と前記ばねチャンバ３６の左側内壁との間には第一ばね３７が固定的に取り付けられ、前記プッシュブロック３８の右側端面には前記押圧ロッドチャンバ３３の左側内壁を貫通しているプッシュロッド３９が固定的に取り付けられ、前記プッシュロッド３９と前記蓋１１とがスライドできるように係合し取り付けられ、前記プッシュロッド３９が前記位置制限チャンバ４１の中に固定されることができ、ビスケットを前記牛乳２２の中に入れるとき、前記蓋１１を開け、そして手動で前記プッシュブロック３８をプッシュし、前記プッシュロッド３９と前記位置制限チャンバ４１とを固定状態から離脱させ、そして前記押圧ロッド３５によりビスケットを前記牛乳２２の中にプッシュし、前記牛乳チャンバ１２の中にはビスケットを置ける置き機構７０が設置され、前記置き機構７０の右側には、コップを使わないとき、前記置き機構７０に支持力を提供する伝動機構８０が設置される。
【００１２】
前記置き機構７０は前記牛乳チャンバ１２の左側内壁に連通し設置される押しチャンバ１４を含み、前記押しチャンバ１４の前後内壁の間には押しロッド１６が回転できるように係合し取り付けられ、前記押しロッド１６の左側端面には押しブロック１５が固定的に取り付けられ、前記押しロッド１６の右側端面には連結板１７が固定的に取り付けられ、前記連結板１７の右側端面には右方に開口した連結溝１８が設置され、前記連結溝１８の前後内壁の間には連結ロッド２３が回転できるように係合し取り付けられ、前記連結溝１８の前側にはトーションばねチャンバ５０が設置され、前記連結ロッド２３が前記トーションばねチャンバ５０の後側内壁を貫通しており、前記連結ロッド２３の前側端面にはトーションばね５１が固定的に取り付けられ、前記トーションばね５１の前側端面と前記トーションばねチャンバ５０の前側内壁とが固定的に連結され、前記連結ロッド２３には置き板２４が固定的に取り付けられ、前記置き板２４の頂部端面には挿入溝２５が設置され、前記押圧ロッド３５が前記挿入溝２５の中に固定されることができ、前記置き板２４の右側端面には右方に開口したビスケットを置ける置きチャンバ２６が設置され、前記置きチャンバ２６の前後内壁には挟みブロック５３が固定的に取り付けられ、それによりビスケットを置くとき、ビスケットを置きチャンバ２６の中に置き、挟みブロック５３によりビスケットを挟み、ビスケットを浸すとき、押圧ロッド３５を挿入溝２５の中に固定させ、そして蓋１１を閉め、押圧ロッド３５により置き板２４を回転連動させ、ビスケットを牛乳２２の中にプッシュし、ビスケットを食べるとき、再び蓋１１を開け、置き板２４がトーションばね５１により復帰し、そして押しブロック１５を押し、押しブロック１５が押しロッド１６により連結板１７を回転連動させ、ビスケットをコップの中から送り出す。
【００１３】
前記伝動機構８０は前記牛乳チャンバ１２の右側内壁に連通し設置されるネジ山チャンバ４２を含み、前記ネジ山チャンバ４２の中にはネジ山ブロック４５がスライドできるように係合し取り付けられ、前記ネジ山ブロック４５の中には右方に開口したネジ山穴４４が設置され、前記ネジ山チャンバ４２の右側には噛合チャンバ４８が連通し設置され、前記噛合チャンバ４８と前記ネジ山チャンバ４２との間にはねじボルト４３が回転できるように係合し取り付けられ、前記ねじボルト４３と前記ネジ山穴４４とがネジ山により係合し取り付けられ、前記ねじボルト４３の右側端面には第二傘歯車４９が固定的に取り付けられ、前記噛合チャンバ４８の前側には伝動チャンバ５９が設置され、前記伝動チャンバ５９と前記噛合チャンバ４８との間には伝動ロッド４７が回転できるように係合し取り付けられ、前記伝動ロッド４７の後側端面には第一傘歯車４６が固定的に取り付けられ、前記第一傘歯車４６と前記第二傘歯車４９とが噛合しており、前記伝動ロッド４７の前側端面には第一歯車６１が固定的に取り付けられ、前記回転ロッド３０が前に伸びて前記伝動チャンバ５９の後側内壁を貫通し、前記回転ロッド３０の前側端面には第二歯車５８が固定的に取り付けられ、前記第二歯車５８と前記第一歯車６１との間にはチェーン６０が伝動できるように係合し取り付けられ、前記ネジ山ブロック４５の左側端面には支持板２７が前後に対称的に固定的に取り付けられ、前記支持板２７の中にはばねチャンバ５５が設置され、前記ばねチャンバ５５の中には引掛りブロック５７がスライドできるように係合し取り付けられ、前記引掛りブロック５７と前記ばねチャンバ５５との間には第二ばね５６が固定的に取り付けられ、前記置き板２４には引掛り溝５２が前後に対称的に設置され、前記引掛りブロック５７が前記引掛り溝５２の中に固定されることができ、それにより蓋１１を開けるとき、蓋１１が回転ロッド３０を回転連動させ、回転ロッド３０が回転し第二歯車５８を回転連動させ、第二歯車５８がチェーン６０の伝動により第一歯車６１を回転連動させ、第一歯車６１が回転し伝動ロッド４７を回転連動させ、伝動ロッド４７が回転し第一傘歯車４６を回転連動させ、第一傘歯車４６が第二傘歯車４９との噛合によりねじボルト４３を回転連動させ、ねじボルト４３が回転しネジ山ブロック４５を右に移動させ、引掛りブロック５７と引掛り溝５２とが固定状態から離脱し、蓋１１を閉めるとき、蓋１１が支持板２７を左に移動連動させ、置き板２４が支持板２７に支持される。
【００１４】
使用するとき、前記蓋１１を開け、ビスケットを前記置きチャンバ２６の中に置き、前記挟みブロック５３によりビスケットを固定し、ビスケットを浸すとき、そして手動で前記プッシュブロック３８をプッシュし、前記プッシュロッド３９と前記位置制限チャンバ４１とを固定状態から離脱させ、押圧ロッド３５を挿入溝２５の中に固定させ、そして蓋１１を閉め、押圧ロッド３５により置き板２４を回転連動させ、ビスケットを牛乳２２の中にプッシュし、ビスケットを食べるとき、再び蓋１１を開け、置き板２４がトーションばね５１により復帰し、そして押しブロック１５を押し、押しブロック１５が押しロッド１６により連結板１７を回転連動させ、ビスケットをコップの中から送り出し、蓋１１を開けるとき、蓋１１が回転ロッド３０を回転連動させ、回転ロッド３０が回転し第二歯車５８を回転連動させ、第二歯車５８がチェーン６０の伝動により第一歯車６１を回転連動させ、第一歯車６１が回転し伝動ロッド４７を回転連動させ、伝動ロッド４７が回転し第一傘歯車４６を回転連動させ、第一傘歯車４６が第二傘歯車４９との噛合によりねじボルト４３を回転連動させ、ねじボルト４３が回転しネジ山ブロック４５を右に移動させ、引掛りブロック５７と引掛り溝５２とが固定状態から離脱し、蓋１１を閉めるとき、蓋１１が支持板２７を左に移動連動させ、置き板２４が支持板２７に支持され、蓋１１が長時間に閉まっているため、置き板２４が落下し壊れることを防止する。
【００１５】
本発明の有益的な効果は：本発明はビスケット全体を牛乳の中に入れることができ、置き機構内の押しブロックにより、ビスケットをコップから送り出すことができ、手に接触することがなく、支持機構はコップを使われないときに置き機構を支持し、それにより置き機構が壊れにくく、普及する価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179076.tif 000003
【図２】
2020179076.tif 000004
【図３】
2020179076.tif 000005
【図４】
2020179076.tif 000006
【図５】
2020179076.tif 000007
【図６】
2020179076.tif 000008